(57)【要約】      （修正有）【課題】ダッシュボードに設けられたシガーソケットを用いることなく、新たに増設する車載アクセサリ機器への電源供給を行うことが可能であり、かつインストルメントパネルの裏面において、増設する車載アクセサリ機器への電源接続をスマートに行うことが出来るワイヤーハーネスを提供する。【解決手段】車両の電源供給機器側に接続されるコネクタ１１と、車両に搭載された各種のアクセサリ機器側に接続されるコネクタ１２と、これらコネクタ１１，１２の各々を接続するケーブル１３とを含むワイヤーハーネス１０において、ケーブル１３の束線中に含まれるプラス及びマイナスの電源線は、ケーブル１３の中間部に分岐して設けられたシガーソケット１４の電源端子を介して接続されていることを特徴とする。【選択図】図１
0003201137.tif 000002
【実用新案登録請求の範囲】
【請求項１】
車両の電源供給機器側に接続されるコネクタと、車両に搭載された各種のアクセサリ機器側に接続されるコネクタと、前記コネクタの各々を接続するケーブルとを含むワイヤーハーネスにおいて、
前記ケーブルの束線中に含まれるプラス及びマイナスの電源線は、ケーブルの中間部に分岐して設けられた電源分岐出力手段を介して接続されていることを特徴とするワイヤーハーネス。
【請求項２】
前記電源分岐出力手段は、少なくとも１つ以上のシガーソケットであり、複数個のシガーソケットを含む場合は、各シガーソケットのプラス電源端子並びにマイナス電源端子が、それぞれ並列に接続されていることを特徴とする請求項１に記載のワイヤーハーネス。
【考案の詳細な説明】
【技術分野】
【０００１】
本考案は、例えば、自動車に搭載されるカーナビゲーション機器やカーオディオ機器などの各種のアクセサリ機器と、車両側の電源供給機器との接続に用いられるワイヤーハーネスに関するものである。
【背景技術】
【０００２】
昨今の電子技術の急速な進歩に伴い、カーオディオ機器やカーナビゲーション機器、或いはドライブレコーダ機器などの、自動車に登載される各種アクセサリ機器の種類が大幅に増加している。図２（ａ）に示すように、このような車載アクセサリ機器２００は、車両の電源供給機器１００と接続されており、両者の接続には図２（ｂ）に示すようなワイヤーハーネス３００が用いられている。
【０００３】
従来、このようなワイヤーハーネスとしては、例えば、特許文献１に示すような束線束とコネクタから成る接続ケーブルが用いられており、図２（ｂ）においては、コネクタ３０１が車両の電源供給機器側に接続され、コネクタ３０２が車載アクセサリ機器側に接続されることになる。
【０００４】
また、各々のコネクタに含まれる複数の電極は、束線束から成るケーブル３０３で互いに接続されており、係るケーブルの束線中には、車載アクセサリ機器への電源供給用のプラス及びマイナスの電源線、或いは各種の制御信号や情報信号を伝送するための信号線が含まれている。
【０００５】
ところで、車載アクセサリ機器としてカーナビゲーション機器を使用し、図２（ａ）に示すような方法で当該機器の電源を車両から供給している場合に、例えば、新たにドライブレコーダ機器などの他の車載アクセサリ機器を増設する際には、当然、新たに増設する車載アクセサリ機器への電源供給を考えなければならない。
【０００６】
このような場合、車両のダッシュボードに備えられたシガーソケットを電源の供給元として利用することが一般的である。すなわち、ダッシュボード上のシガーソケットにシガープラグを差し込み、当該シガープラグからプラス及びマイナスの電源線を引き出し、これを増設するドライブレコーダ機器の電源として供給することが通常行われてきた。
【０００７】
【特許文献１】特開平０８−２４９９３３号公報
【考案の開示】
【考案が解決しようとする課題】
【０００８】
しかしながら、このような従来からの手法では、煙草への着火という本来の用途にシガーソケットを利用する際に、その都度シガープラグをシガーソケットから挿抜する必要があり、その間ドライブレコーダ機器の電源が落ちてしまうという問題があった。また、ダッシュボード上のシガーソケットに、ドライブレコーダへの電源供給用のシガープラグが常時挿入されているため、運転席におけるダッシュボードの美観を損なうという問題もあった。
【０００９】
本考案は、このような従来からの課題を解決することを目的とするものであって、ダッシュボードに設けられたシガーソケットを用いることなく、新たに増設する車載アクセサリ機器への電源供給を行うことが可能であり、かつインストルメントパネルの裏面において、増設する車載アクセサリ機器への電源供給をスマートに行うことが出来るワイヤーハーネスを提供することを目的とする。
【課題を解決するための手段】
【００１０】
本考案の第１の観点によるワイヤーハーネスは、上述の目的を達成するため、車両の電源供給機器側に接続されるコネクタと、車両に搭載された各種のアクセサリ機器側に接続されるコネクタと、前記コネクタの各々を接続するケーブルとを含むワイヤーハーネスにおいて、
前記ケーブルの束線中に含まれるプラス及びマイナスの電源線は、ケーブルの中間部に分岐して設けられた電源分岐出力手段を介して接続されていることを特徴とする。
【００１１】
また、本考案の第２の観点によるワイヤーハーネスは、上記第１の観点において、前記電源分岐出力手段は、少なくとも１つ以上のシガーソケットであり、複数個のシガーソケットを含む場合は、各シガーソケットのプラス電源端子並びにマイナス電源端子が、それぞれ並列に接続されていることを特徴とする。
【考案の効果】
【００１２】
以上の解決手段を備えた本考案によるワイヤーハーネスによれば、新たな車載アクセサリ機器を自動車に増設する際に、当該機器への電源供給を極めて容易に行うことが可能であり、かつ、係る電源供給のための電源線接続を、ダッシュボードのインストルメントパネルの裏側で行うことができるので、運転席の美観をスマートに保つことができる。
【考案を実施するための最良の形態】
【００１３】
本考案に基づくワイヤーハーネスの最良の形態である実施例について、本考案の明細書に添付された各図面を参照しつつ説明を行う。先ず、本実施例によるワイヤーハーネス１０の構成を、図１（ａ）の概要説明図に示す。
【００１４】
同図において、コネクタ１１は、車両の電源供給機器側に接続されるコネクタであり、コネクタ１２は、車両に搭載されるアクセサリ機器側に接続されるコネクタである。なお、ここで言う電源供給機器には、車両に搭載されているバッテリーも当然含まれものであり、また、他の車載アクセサリ機器を経由して電源が供給されるような場合には、係る電源供給元の車載アクセサリ機器もこれに含まれるものとする。これらのコネクタの各々には複数の電極（図示せず）が含まれており、各々のコネクタに含まれる電極は、束線束から成るケーブル１３によって互いに接続されている。
【００１５】
ケーブル１３の中には、アクセサリ機器への電源供給用のプラス及びマイナスの電源線、或いは各種の制御信号や情報信号を伝送するための信号線が含まれている。ケーブル１３の束線中で各種の信号線は、両コネクタのそれぞれ対応する電極間を直接に結んでいるものであるが、プラス及びマイナスの電源線に関しては、図１（ａ）に示すようにその接続態様がこれらの信号線とは異なっている。
【００１６】
すなわち、プラス及びマイナスの電源線の場合は、コネクタ１１の電極から引き出された後、直接にコネクタ１２へは向かわずに、一旦、両コネクタの中間部に分岐して設けられたシガーソケット１４のそれぞれの電源端子に接続され、そこから改めてコネクタ１２の対応する電極に向かうことになる。
【００１７】
つまり、ワイヤーハーネス１０におけるプラス及びマイナスの電源線については、直接かつ一義的にコネクタ１１とコネクタ１２の間を接続するものではなく、ワイヤーハーネスの中間部に分岐して設けられたシガーソケット１４の電源端子を介して、両コネクタの電極間を接続することになる。
【００１８】
したがって、ワイヤーハーネス１０を用いて、車両の電源供給機器と車載のアクセサリ機器とを接続した場合、シガーソケット１４の電源端子には常に車両からの電源が供給されることになる。それ故、係るシガーソケットにシガープラグを接続することにより、当該シガープラグを介して、他の車載アクセサリ機器への電源供給を常時行うことが可能となる。
【００１９】
ワイヤーハーネス１０による機器間の接続は、通常、ダッシュボードのインストルメントパネルの裏面で行われるので、シガーソケット１４による他の車載アクセサリ機器への電源供給の様子がダッシュボードの表面に現れることはなく、運転席の美観を極めてスマートに保つことができる。
【００２０】
また、本考案においては、ワイヤーハーネス１０の中間部に分岐して接続されるシガーソケット１４の数は１個に限定されるものではない。例えば、図１（ｂ）に示すように複数個のシガーソケットを含むシガーソケットケース１５のような形に集約して、電源分岐出力用のシガーソケットを設けるようにしてもよい。
【００２１】
この場合、シガーソケットケース１５の内部に設けられた各々のシガーソケット１４のプラス及びマイナスの電源端子は、それぞれ並列に接続されていることは言うまでもない。また、シガーソケットケース１５に含まれる各々のシガーソケット毎に、例えば、電源ヒューズや電源ＯＮ／ＯＦＦ用のスイッチ、或いは電源が供給されていることを明示するＬＥＤ等を個別に設けるようにしてもよい。
【００２２】
このような実施形態を採用することによって、新たな車載アクセサリ機器の増設や、不要となったアクセサリ機器の撤去を極めて柔軟に行うことが可能となる。なお、図１（ｂ）に示した実施例では、複数のシガーソケットをシガーソケットケース１５の内部に集約して設置したが、本考案は係る事例に限定されるものではなく、例えば、ワイヤーハーネス１０の中間部に複数のシガーソケットを分離して設けるようにしても良い（図示せず）。
【００２３】
なお、本考案の実施形態は、以上に説明した各実施例に限定されるものではなく、例えば、各々の実施例を構成する各部位の形状や配置或いはその素材等は、本考案の趣旨を逸脱することなく、現実の実施態様に即して適宜変更ができるものであることは言うまでもない。
【産業上の利用可能性】
【００２４】
以上に説明した本考案の構成は、車両搭載機器の接続用をはじめとして、その他の電子機器の接続装置においてその利用が可能である。
【図面の簡単な説明】
【００２５】
【図１】本考案に基づくワイヤーハーネスの概略構造を示す説明図である。
【図２】従来のワイヤーハーネスによる機器接続の概略を示す説明図である。
【符号の説明】
【００２６】
１０  …  本考案によるワイヤーハーネス
１１，１２  …  コネクタ
１３  …  ケーブル（束線束）
１４  …  シガーソケット
１５  …  シガーソケットケース
１００  …  車両の電源供給機器
２００  …  車両搭載のアクセサリ機器
３００  …  従来のワイヤーハーネス
３０１，３０２  …  コネクタ
３０３  …  ケーブル（束線束）
【図１】
0003201137.tif 000003
【図２】
0003201137.tif 000004